(57)【要約】【課題】製品に要求される機能は維持しつつも、同一加工装置により加工することができ、低コストでの提供が可能な拍車の構成と、これを用いたデータ記録装置の構成を提案すること。【解決手段】記録媒体である印刷用紙９０の表面に接触し、印刷用紙９０の排出動作に伴って従動回動する拍車１０であって、平面視形状が略円形に形成された本体部１２における外周縁の周方向には、所要間隔をあけて先鋭な波型部１６が形成され、本体部１２の平面中央位置には、本体部１２の回転軸を挿通させるためのスリーブ部１４が形成され、波型部１４とスリーブ部１４との間が本体部１２の板厚方向に曲折されていることを特徴とする。【選択図】図１
2011031590.tif 000002
【特許請求の範囲】
【請求項１】
記録媒体の表面に接触し、前記記録媒体の排出動作に伴って従動回動する拍車であって、
平面視形状が略円形に形成された本体部における外周縁の周方向には、所要間隔をあけて先鋭な波型部が形成され、
前記本体部の平面中央位置には、本体部の回転軸を挿通させるためのスリーブ部が形成され、
前記波型部と前記スリーブ部との間が前記本体部の板厚方向に曲折されていることを特徴とする拍車。
【請求項２】
前記波型部の位置が前記スリーブ部の軸線方向における中間位置となるように配設されていることを特徴とする請求項１記載の拍車。
【請求項３】
前記スリーブ部の先端部が拡径方向に曲折されていることを特徴とする請求項１または２記載の拍車。
【請求項４】
前記本体部には、板厚方向に貫通する貫通孔が複数形成されていることを特徴とする請求項１〜３のうちのいずれか一項に記載の拍車。
【請求項５】
記録媒体にデータを記録するデータ記録用ヘッドと、
前記記録媒体を排出する排出用駆動ローラと、該排出用駆動ローラを駆動させるローラ駆動手段と、
前記記録媒体の表面に接触しながら前記排出用駆動ローラによる前記記録媒体の排出動作に伴って従動回動する従動ローラと、を有するデータ記録装置であって、
前記従動ローラは、前記記録媒体の排出方向に直交する方向に配設された回転軸に請求項１〜４のうちのいずれか一項に記載の拍車が挿通されたものであることを特徴とするデータ記録装置。
【発明の詳細な説明】
【技術分野】
【０００１】
本発明は拍車とこれを用いたデータ記録装置に関する。
【背景技術】
【０００２】
データ記録装置の一例であるインクジェットプリンターにおいて、紙排出機構を構成する駆動ローラにより排出された印刷紙の表面に当接し、排紙動作に伴って回転する従動ローラに用いられる拍車としては、例えば図９に示すような形態のものが提供されている。
すなわち、薄い金属板を打ち抜きプレス加工等によりリング状の本体部１２に打ち抜いた後、本体部１２の外周縁に先鋭な波型部１６を形成し、さらには、本体部１２の中央部分に回転軸を挿通させるためのスリーブ部１４を合成樹脂により成形してなるものである。
【先行技術文献】
【特許文献】
【０００３】
【特許文献１】特開２００３−３４１８７３号公報
【発明の概要】
【発明が解決しようとする課題】
【０００４】
特許文献１に開示されている拍車１０は、薄い金属板をプレス加工またはエッチング加工することによって、リング状の本体部１２を形成する工程と、本体部１２の外周縁にプレス加工により先鋭な波型部１６を形成する工程と、本体部１２の中央部分に樹脂成形によりスリーブ部１４を形成する工程が必要になる。このスリーブ部１４は所定の厚みに形成され、薄肉構造の本体部１２が印刷紙面上を安定した状態で回転させるために必要な構成である。
ところで本体部１２のプレス加工と波型部１６のプレス加工については、同じプレス加工であり加工装置が共通であるから、それぞれを同時に加工する事も可能ではある。しかしながら、スリーブ部１４の樹脂成形工程については樹脂成形装置が別途必要である。このため、装置的にも工程的にも拍車１０の製造コストの低減には限界がある。
【０００５】
そこで本願発明は、製品に要求される機能は維持しつつも、同一加工装置により加工することができ、低コストでの提供が可能な拍車の構成と、これを用いたデータ記録装置の構成を提案することを目的としている。
【課題を解決するための手段】
【０００６】
以上の目的を達成するため本願発明は以下の構成を有する。
すなわち、記録媒体の表面に接触し、前記記録媒体の排出動作に伴って従動回動する拍車であって、平面視形状が略円形に形成された本体部における外周縁の周方向には、所要間隔をあけて先鋭な波型部が形成され、前記本体部の平面中央位置には、本体部の回転軸を挿通させるためのスリーブ部が形成され、前記波型部と前記スリーブ部との間が前記本体部の板厚方向に曲折されていることを特徴とする拍車である。
【０００７】
また、他の発明として、記録媒体にデータを記録するデータ記録用ヘッドと、前記記録媒体を排出する排出用駆動ローラと、該排出用駆動ローラを駆動させるローラ駆動手段と、前記記録媒体の表面に接触しながら前記排出用駆動ローラによる前記記録媒体の排出動作に伴って従動回動する従動ローラと、を有するデータ記録装置であって、前記従動ローラは、前記記録媒体の排出方向に直交する方向に配設された回転軸に上記の拍車が挿通されたものであることを特徴とするデータ記録装置とすることもできる。
【発明の効果】
【０００８】
本発明にかかる拍車およびこれを用いたデータ記録装置によれば、拍車をプレス加工装置のみにより製造することができるため、低コストでの拍車およびこれを用いたデータ記録装置の提供が可能になる。
【図面の簡単な説明】
【０００９】
【図１】第１実施形態における拍車の正面図および断面図である。
【図２】第１実施形態における拍車を製造する際の各工程における状態を示す説明図である。
【図３】第１実施形態における拍車を製造する際の各工程における状態を示す説明図である。
【図４】第１実施形態における拍車を装着した従動ローラの正面図である。
【図５】第２実施形態における拍車の正面図および断面図である。
【図６】第３実施形態における拍車の正面図および断面図である。
【図７】第４実施形態における拍車の正面図および断面図である。
【図８】本発明にかかる拍車を用いたインクジェットプリンターの概略構造を示す断面図である。
【図９】従来技術における拍車の正面図および断面図である。
【発明を実施するための形態】
【００１０】
（第１実施形態）
以下、本発明にかかる拍車の実施形態について図面に基づいて説明する。図１は、第１実施形態における拍車の正面図および断面図である。本実施形態においては、データ記録装置の拍車として、インクジェットプリンターにおける排紙機構の従動ローラである拍車１０について説明をおこなう。
【００１１】
本実施形態における拍車１０は、ステンレス製の薄板（板厚は０．１ｍｍ〜０．１５ｍｍ程度）により形成されている。
本実施形態における拍車１０は、図１に示すように、ベース部となる本体部１２と、本体部１２の中央部に形成され、回転軸を挿通させるためのスリーブ部１４と、本体部１２の外周縁に所要間隔をあけて形成された波型部１６と、本体部１２のスリーブ部１４と波型部１６との間に形成された曲折部１８とを有している。このようにして形成された拍車１０の径寸法は、７ｍｍ〜１０ｍｍ程度に形成されている。
【００１２】
波型部１６は、平面視した際に外周縁が先鋭な形状に形成されている。また、波型部１６の断面形状は、先端部分に接近するにつれて徐々に肉厚が薄くなるテーパ形状に形成されている。また、曲折部１８は２箇所に形成されている。本実施形態における曲折部１８は、図１の断面図に示されているとおり、内周側の曲折部１８がスリーブ部１４の外周面に接近する方向に曲折され、外周側の曲折部１８Ａがスリーブ部１４の外周面から離反する方向に曲折されている。波型部１６に最も近い位置の（外周側）の曲折部１８Ａは、スリーブ部１４の軸線方向（突出方向）における中央位置に形成されている。すなわち、波型部１６は、スリーブ部１４の軸線方向の中央部に位置するように形成されている。また、本体部１２において、曲折部１８Ａより外周縁側の部分がスリーブ部１４の軸線方向に対して直交方向に延伸するように曲折部１８，１８Ａの曲折角度が適宜調整されている。
【００１３】
次に、本実施形態にかかる拍車１０の製造工程について説明する。図２および図３は、各製造工程における状態を示す説明図である。この説明図は、拍車１０の平面図および断面図である。断面図の断面位置は、図２（Ａ）の一点鎖線の位置である。ここでは拍車１０を１つのみ図示しているが、実際は複数個の拍車１０を同時に形成している。
まず、図２（Ａ）に示すように、ステンレス製の薄板の所要位置に後述するスリーブ部１４形成時のための下抜きプレス加工を行う。この下抜きプレス加工は、最終的に製品となる部位よりも外方位置となる所要位置に貫通孔１１を形成するものである。ここでは、円形の本体部１２の外周縁に沿って３箇所に貫通孔１１を形成した。本体部１２は３箇所の吊部１１Ａにより吊られた状態になっている。
【００１４】
次に、図２（Ｂ）に示すように、本体部１２の中央部分を所要範囲にわたって本体部１２の面外方向に突出する突出部１３を形成するために、本体部１２の中央部が有底筒状を形成するように絞り加工を行う。そして本体部１２中央部の突出部１３の突出高さが所要の高さ寸法になった後、突出部１３の先端部（内底部）１３Ａを打ち抜き、筒状体をなすスリーブ部１４を形成する。このとき、必要に応じて、突出部１３の先端部１３Ａ部分に生じたバリを除去する。
【００１５】
続いて、図２（Ｃ）に示すように、本体部１２のスリーブ部１４よりも外方部分を絞り加工により浅皿状に曲折して曲折部１８，１８Ａを形成する。本実施形態では、２箇所に曲折部１８，１８Ａを形成した。本体部１２の外周縁側の曲折部１８Ａの位置は、スリーブ部１４の軸線方向においてスリーブ部１４の中央位置に対応する位置となっている。また、本体部１２における曲折部１８Ａよりも外周縁側の部分は、スリーブ部１４の軸線に対して直交する方向に曲折されている。
【００１６】
次に、図３（Ａ）に示すように、本体部１２の外周縁を波型に打ち抜プレス加工する。この時点においては、本体部１２の外周縁に形成された波型部分１５は、拍車の最終形状における波型部１６の形成位置よりもわずかに外方の位置に形成されている。また波型部分１５の先端部は円弧状に形成されている。
本体部１２の外周縁に波型部分１５を形成した後、波型部分１５の先端部を所要範囲にわたってプレスし、波型部分１５の先端部に近づくに伴って肉厚寸法が徐々に薄くなるテーパ状に鍛造プレス加工をする。この後、図３（Ｂ）に示すように本体部１２の外周縁部分が先鋭な波型をなす最終形状に打ち抜きプレス加工をして波型部１６を形成する。
そして、最後に図３（Ｃ）に示すように、吊部１１Ａを打ち抜きプレス加工して拍車１０として個片化する。吊部１１Ａを打ち抜きプレスする際には、波型部１６が形成されている本体部１２の径位置よりも内径側の位置まで打ち抜きプレス加工をしている。
【００１７】
このようにして形成された拍車１０は、図４に示すように、回転軸３０に所要間隔をあけて装着され、これにより従動ローラ４０が形成される。回転軸３０には所要間隔をあけて係合片３２が予め設けられていて、回転軸３０の係合片３２にスリーブ部１４の先端部を係合させることで拍車１０を回転軸３０の所定位置に固定することができる。このようにして形成された従動ローラ４０は、インクジェットプリンターの排紙側に回転軸３０を排紙方向に直交させた状態で配設される。また、このような従動ローラ４０に対して排出された印刷紙を挟んで対向する配置に他の従動ローラが配設される（図８参照）。他の従動ローラは、印刷紙の裏面（非印刷面）に当接するので、従動ローラ４０に装着された拍車１０とは異なり、所要幅で印刷紙に当節する円筒状のローラ体が回転軸に装着されている。
【００１８】
インクジェットプリンター内の駆動ローラにより排出された印刷紙は、従動ローラ４０と他の従動ローラとの間を通過して外部に排出される。回転軸３０に挿通された拍車１０は、波型部１６がスリーブ部１４の軸線方向の中央位置に位置しているので、印刷紙に波型部１６の先端部が当接して転動する際に極めて安定した状態で転動し、排紙動作が円滑になると共に、印刷紙の印刷表面の汚染や破損を防ぐことができ好適である。
【００１９】
本実施形態にかかる拍車１０は、従来、樹脂成形工程により形成していたスリーブ部１４をしぼりプレス加工により形成しているので拍車１０の製造に要する時間も短縮され、従来技術に比較して大幅に製造コストを低減させることができる。
【００２０】
（第２実施形態）
図５は、第２実施形態における拍車の正面図および断面図である。
本実施形態における拍車１０は第１実施形態の変形例であり、曲折部１８の曲折角度が本体部１２の当初平面に対してそれぞれほぼ直角になっている点において第１実施形態と相違している。他の部分については図中で第１実施形態と同様であるため、第１実施形態と同じ番号を付すことによりここでの詳細な説明を省略している。
なお、具体的に図示はしないが、本実施形態における拍車１０も、第１実施形態と同様に回動軸３０に所要間隔をあけて挿通され、従動ローラ４０を構成する。
【００２１】
（第３実施形態）
図６は、第３実施形態における拍車の正面図および断面図である。
本実施形態における拍車１０もまた第１実施形態の変形例である。本実施形態においては、スリーブ部１４の先端部がスリーブ部１４の拡径方向に曲折された曲折片（フランジ部）２０に形成されている点において第１実施形態と相違している。曲折片２０以外の部分については、第１実施形態と同様であるため、第１実施形態と同じ番号を付すことにより、ここでの詳細な説明を省略している。図６に示す拍車１０の製造方法は、第１実施形態と同様にしてスリーブ部１４を形成した後、スリーブ部１４の先端部における曲折片２０を曲げ加工により形成することができる。
【００２２】
本実施形態におけるスリーブ部１４に形成された曲折片２０は、図６に示すように、スリーブ部１４の軸線方向に対して直交方向に曲折されているので、回転軸３０の係合片３２とスリーブ部１４の先端部との当接部分が大幅に増えることになる。これにより、拍車１０のスリーブ部１４の先端部と回転軸３０の係合片３２との磨耗を軽減することができ、回転軸３０に対する拍車１０の係合状態は当初の状態を維持することができる。したがって長期間にわたって従動ローラ４０を使用しても、拍車１０が回転軸３０に対してぶれた状態で転動することがなく、排出された印刷紙の印刷面の汚染や印刷紙の破れ等の破損の発生をさらに低減することができるため好都合である。
【００２３】
（第４実施形態）
図７は第４実施形態における拍車の正面図および断面図である。
本実施形態における拍車１０は、第３実施形態の変形例である。本実施形態における拍車１０は、スリーブ部１４と波型部１６との間に本体部１２の板厚方向に貫通する貫通孔１７が複数箇所に形成されている点が特徴的である。この貫通孔１７は、第１実施形態で説明した拍車１０の製造工程において、スリーブ部１４の形成工程と、本体部１２の曲折部１８，１８Ａの絞り加工工程（曲げ加工工程）との間にプレス加工することにより形成している。ここでは、図７に示すように、貫通孔１７を円弧型の帯形状に形成しているが、円形の貫通孔１７を散点的に複数個形成する形態としてもよい。
【００２４】
本体部１２に貫通孔１７を配設することで、波型部１６の近傍部分（本体部１２の外周縁から径方向における所要範囲）と、スリーブ部１４側（本体部１２の中央部分）とが連結部１７Ａにより連結された状態になっている。また、貫通孔１７の配設により本体部１２に曲折部１８，１８Ａの絞り加工（曲げ加工）を行う際に、本体部１２にしわが生じにくくなるため、後の整形が容易になる点でも好都合である。
また、貫通孔１７を配設して本体部１２の一部を除去することにより、拍車１０の重量が減少し慣性モーメントを小さくすることができる。このような形状の拍車１０を用いた従動ローラ４０は、転動を開始させるために必要な回転トルクが小さくて済むため、駆動ローラの出力を減少させることができる。また、このような拍車１０を用いることで、インクジェットプリンターの軽量化にも貢献する点においても他の実施形態に比較して有利である。
【００２５】
図８は、排紙機構の一部に第１実施形態における拍車を用いた従動ローラを用いたインクジェットプリンター１００の概略内部構造を示す断面図である。本断面図における排紙方向は矢印Ａに示す方向である。
本実施形態におけるインクジェットプリンター（データ記録装置）１００は、供給された印刷用紙（記録媒体）９０の表面にインクの液滴を塗布するインク供給ヘッド（データ記録用ヘッド）１０２と、印刷用紙９０を給紙部１０４から筐体１１０内に取り込むと共に、排紙口１０６に排出する排出用駆動ローラ１０８と、排出用駆動ローラ１０８により排紙口１０６に排出された印刷（データ記録）済みの印刷用紙９０の排出動作に伴って、印刷用紙９０の表面上で従動回動する従動ローラ４０を有するものである。本実施形態では、排出用駆動ローラ１０８と従動ローラ４０とにより排紙機構が構成されている。
【００２６】
インク供給ヘッド１０２は、ロッド１０３に沿って印刷用紙９０の供給方向に対して直交する方向に往復動可能に設けられている。排出用駆動ローラ１０８は、給紙部１０４から印刷用紙９０を一枚ずつ筐体１１０内に取り込む際の駆動源にもなっている。従動ローラ４０には、印刷用紙９０を挟んで対向する配置で円柱状のローラ体が装着された第２の従動ローラ１０９が配設されている。第２の従動ローラ１０９の円柱状のローラ体は、ゴム等の摩擦係数の大きな素材により形成されていることが好適である。
【００２７】
本実施形態で示すインクジェットプリンター１００は、軽量で安価な拍車１０を従動ローラ４０に装着しているので、従動ローラ４０の慣性モーメントを小さくすることができる。これにより、排出用駆動ローラ１０８に要求される回転トルクが小さくなり、小型の排出用駆動ローラ１０８を採用することができる。これらにより、インクジェットプリンター１００を軽量化することができ、消費電力の削減にも貢献することができる。また、インクジェットプリンター１００を低コストで提供することも可能になる。
【００２８】
以上に本願発明かかる拍車とこれを用いたデータ記録装置について説明をしてきたが、本願発明は、以上の実施形態に限定されるものではないのはもちろんである。
例えば、以上の実施形態においては、拍車１０の具体例として第１実施形態ないし第４実施形態を用いて説明しているが、第１実施形態ないし第４実施形態で説明した拍車１０の各構成を適宜組み合わせて得られる拍車１０の構成であっても、本願発明の技術的範囲に属することはもちろんである。
また、以上に示した拍車１０はすべて、外周縁側の曲折部１８Ａがスリーブ部１４の軸線方向における中央部分に配設されている形状について説明しているが、拍車１０が円滑に転動することができる範囲であれば、曲折部１８Ａをスリーブ部１４の軸線方向の中央部分から外れた位置に配設してもよいのはもちろんである。
【００２９】
また、本実施形態においては、データ記録装置としてインクジェットプリンター１００を例示しているが、インクジェットプリンター１００に限定されるものでもない。要は、データ記録媒体にデータを記録するデータ記録用ヘッドと、記録媒体を排出する排出用駆動ローラと、排出用駆動ローラを駆動させる駆動手段と、記録媒体の排出動作に伴って従動回動する拍車を有する従動ローラを備えるデータ記録装置であれば、インクジェットプリンター以外のプリンターや、紙以外のデータ記録媒体を用いる方式のデータ記録装置等であってもよいのである。
【符号の説明】
【００３０】
１０  拍車
１１，１７  貫通孔  
１１Ａ  吊部
１２  本体部
１４  スリーブ部
１５  波型部分
１６  波型部
１７Ａ  連結部
１８  曲折部
２０  曲折片
３０  回転軸
３２  係合片
４０  従動ローラ
９０  印刷用紙
１００  インクジェットプリンター
１０２  インク供給ヘッド
１０４  給紙部
１０６  排紙部
１０８  排出用駆動ローラ
１１０  筐体
【図１】
2011031590.tif 000003
【図２】
2011031590.tif 000004
【図３】
2011031590.tif 000005
【図４】
2011031590.tif 000006
【図５】
2011031590.tif 000007
【図６】
2011031590.tif 000008
【図７】
2011031590.tif 000009
【図８】
2011031590.tif 000010
【図９】
2011031590.tif 000011